(57)【特許請求の範囲】
【請求項１】
洗面器用あるいはシンク用の開口が貫通形成されてなる人造大理石カウンターであって、該カウンターの裏面には、前記開口の外周側に、洗面器あるいはシンクの上面が当接される部分を残して、洗面器あるいはシンクの位置合わせ用のラインが形成されたカウンター構造であって、前記ラインの外側には、洗面器あるいはシンクの上面が当接される部分よりも肉厚を薄くした凹部が形成され、前記カウンターの後部には立ち上げ状にバックガード部が形成されており、該バックガード部には、手を掛けることのできる凹部が後面側に形成されていることを特徴とするカウンター構造。
【発明の詳細な説明】
【０００１】
【産業上の利用分野】
この発明は、洗面器用あるいはシンク用のカウンターに関するものである。
【０００２】
【従来の技術及びその課題】
従来、洗面化粧台とかキッチンなどで使用されている人造大理石のカウンターは、裏面に凹凸がなく、均一な１０〜１５mm程度の肉厚に形成されており、カウンターの重量が重く、輸送とか搬入時の労力が大となり、組立てとか加工時の労力も大となってしまうという問題点があり、また、材料費もかかり、コストが増大してしまうという問題点がある。また、裏面に凹凸がないために洗面器等を取り付ける際の目印がなく、取り付けに手間が掛かり、特別な取付用の治具などを用いて位置決めして洗面器等を取り付ける必要があった。
【０００３】
【課題を解決するための手段】
本発明は上記従来の問題点に鑑み案出したものであって、重量が軽く、輸送とか搬入，組立て等が容易となり、また、洗面器等を取り付ける際の位置合わせが容易となるカウンターの構造を提供せんことを目的とし、その要旨は、洗面器用あるいはシンク用の開口が貫通形成されてなる人造大理石カウンターであって、該カウンターの裏面には、前記開口の外周側に、洗面器あるいはシンクの上面が当接される部分を残して、洗面器あるいはシンクの位置合わせ用のラインが形成されたカウンター構造であって、前記ラインの外側には、洗面器あるいはシンクの上面が当接される部分よりも肉厚を薄くした凹部が形成され、前記カウンターの後部には立ち上げ状にバックガード部が形成されており、該バックガード部には、手を掛けることのできる凹部が後面側に形成されていることである。
【０００４】
【実施例】
以下、本発明の実施例を図面に基づいて説明する。
図１は、洗面台の斜視図であり、洗面台１のキャビネット２上面には人造大理石カウンター３が載置され、このカウンター３には、洗面器用の開口４が中央部に形成されており、後部には立ち上げ状にバックガード部６が一体形成され、前側には垂下状に前垂れ部７が一体形成されており、前記洗面器用開口４の裏側に洗面器８が固設されている。
【０００５】
このようなカウンター３の平面図を図２に示すが、カウンター３には、水栓９を取り付けるための水栓用貫通孔１０が形成されており、前記洗面器用開口４の少なくとも左右側の裏面には、洗面器８を取り付ける際に、洗面器用開口４と洗面器８を整合させるための位置決めが容易となる位置合わせライン１２ａ，１２ｂが形成されている。
【０００６】
図３には、カウンター３の裏面図を示し、また図４では、裏面側からの斜視図を示す。
図３及び図４で示すように、前記洗面器用開口４の外周側には、洗面器８の上面を当接させて洗面器８を取り付けできる洗面器当接面１１が形成されており、この洗面器当接面１１の外側には、洗面器８を洗面器用開口４に位置合わせするための、右位置合わせライン１２ａ及び左位置合わせライン１２ｂがそれぞれ左右に形成されており、この左右の位置合わせライン１２ａ，１２ｂは、前記洗面器用開口４の外周から同一寸法ａ，ａの位置に設定されたものとなっており、この左右の位置合わせライン１２ａ，１２ｂのそれぞれの外側には、凹み状に薄肉の薄肉凹部１３ａ，１３ｂが形成されている。即ち、右位置合わせライン１２ａの外側には凹み状に右薄肉凹部１３ａが形成され、左位置合わせライン１２ｂの外側には凹み状に左薄肉凹部１３ｂが形成されたものとなっている。また、この左右の薄肉凹部１３ａ，１３ｂのそれぞれの外側には、前記キャビネット２の上面が当接する右キャビネット当接面１４ａ及び左キャビネット当接面１４ｂがそれぞれ形成されている。
【０００７】
また、前記洗面器当接面１１の外周の前垂れ部７側にも、左右に前位置合わせライン１５ａ，１５ｂがａの寸法位置にそれぞれ形成されており、左右の前位置合わせライン１５ａ，１５ｂの外周側には、薄肉状に凹んだ前薄肉凹部１６ａ，１６ｂが形成されたものとなっている。
また、バックガード部６側にも、左右に薄肉状の後薄肉凹部１７ａ，１７ｂが凹み状に形成されている。さらに、バックガード部６の左右側には、手を掛けることのできる右手掛け凹部１８ａと左手掛け凹部１８ｂが後面側の肉を削り落として形成されている。
【０００８】
また、前記左右の薄肉凹部１３ａ，１３ｂの周側には洗面器８を取り付けるためのボルト１９，１９，１９が埋設されている。このボルト１９の埋設状態を図６の拡大図（図３におけるＢ−Ｂ線断面図）で示す。
【０００９】
また、図３におけるＡ−Ａ線断面図を図５に示して、洗面器８の取付状態を示す。
即ち、図５において、前記埋設されたボルト１９に対して金具２１を取り付け、ナット２０をボルト１９に締め付けて、金具２１で洗面器８の上端側をカウンター３方向に押さえ付け、金具２１を介し洗面器８をカウンター３に固定することができ、このように洗面器８を洗面器用開口４に整合させて取り付ける際に、前記左右の位置合わせライン１２ａ，１２ｂを目安として洗面器８の左右の位置決めを良好に行うことができ、また、前位置合わせライン１５ａ，１５ｂを目安として洗面器８の前側の位置決めを良好に行うことができ、従来のように治具を用いる必要がなく、良好に洗面器８を位置合わせしてカウンター３に取り付けることができ、洗面器８の取付作業が容易なものとなる。
【００１０】
特に、本例では、左右の位置合わせライン１２ａ，１２ｂと前位置合わせライン１５ａ，１５ｂまでの洗面器用開口４の外周からの寸法がａの同一寸法位置に設定されているため、３方向で良好に位置合わせして洗面器８を洗面器用開口４に確実に整合させて取り付けることができるものとなる。
また、本例のカウンター３は前述した如く、薄肉凹部１３ａ，１３ｂ，１６ａ，１６ｂ，１７ａ，１７ｂが形成されているため、その分、軽く形成することができ、材料費を少なくしてコストを低減させて製造することができ、軽いために輸送とか搬入時の労力が軽減され、さらに組立て加工時の労力も軽減されるものとなる。
さらに、カウンター３をキャビネット２の上面に取り付けた状態で、前記左右の手掛け凹部１８ａ，１８ｂに手を掛けることができ、キャビネット２を組んだ状態での洗面台１の移動を容易に行うことができるものとなる。
【００１１】
【発明の効果】
本発明は、洗面器用あるいはシンク用の開口が貫通形成されてなる人造大理石カウンターであって、該カウンターの裏面には、前記開口の外周側に、洗面器あるいはシンクの上面が当接される部分を残して、洗面器あるいはシンクの位置合わせ用のラインが形成されたカウンター構造であって、前記ラインの外側には、洗面器あるいはシンクの上面が当接される部分よりも肉厚を薄くした凹部が形成され、前記カウンターの後部には立ち上げ状にバックガード部が形成されており、該バックガード部には、手を掛けることのできる凹部が後面側に形成されていることにより、カウンターの裏側に洗面器あるいはシンクを取り付ける際に、ラインを目安として良好に位置合わせして、洗面器あるいはシンクを開口に確実に整合させて取り付けることができ、従来のように治具を用いる必要がなく、良好に位置決めして洗面器等の取り付けが可能となり、作業が容易となる効果を有する。また、ラインの外側には、肉厚を薄くした凹部が形成されていることにより、カウンターを材料費を少なくして軽く形成することができ、軽いために輸送とか搬入時の労力が低減され、また、組立て加工時の労力も低減される効果を有する。
また、カウンターをキャビネットの上面に取り付けた状態で、凹部に手を掛けることができ、キャビネットを組んだ状態での洗面台の移動を容易に行うことができるものとなる。
【図面の簡単な説明】
【図１】  上面にカウンターを備えた洗面台の斜視構成図である。
【図２】  カウンターの平面構成図である。
【図３】  カウンターの裏面図である。
【図４】  カウンターの裏側から見た斜視構成図である。
【図５】  図３におけるＡ−Ａ線断面を示し、洗面器の取付状態を示す断面構成図である。
【図６】  図３のＢ−Ｂ線断面拡大構成図である。
【符号の説明】
１  洗面台
２  キャビネット
３  カウンター
４  洗面器用開口
６  バックガード部
７  前垂れ部
８  洗面器
９  水栓
１０  水栓用貫通孔
１１  洗面器当接面
１２ａ  右位置合わせライン
１２ｂ  左位置合わせライン
１３ａ  右薄肉凹部
１３ｂ  左薄肉凹部
１４ａ  右キャビネット当接面
１４ｂ  左キャビネット当接面
１５ａ，１５ｂ  前位置合わせライン
１６ａ，１６ｂ  前薄肉凹部
１７ａ，１７ｂ  後薄肉凹部
１８ａ  右手掛け凹部
１８ｂ  左手掛け凹部
１９  ボルト
２０  ナット
２１  金具
【図１】
0003674391.tif 000002
【図２】
0003674391.tif 000003
【図３】
0003674391.tif 000004
【図４】
0003674391.tif 000005
【図５】
0003674391.tif 000006
【図６】
0003674391.tif 000007